(57)【要約】【課題】使い勝手の向上を図ることができる高圧洗浄機を提供する。【解決手段】高圧洗浄機１０は、洗浄機本体１４がパイプフレーム１５で囲われ、パイプフレームで洗浄機本体を支えるように構成されている。パイプフレームは、洗浄機本体を横置き姿勢に支持可能な横置ベース部４２と、横置ベース部を載置させた状態において洗浄機本体の重心位置６７の上方に設けられた横置取手部５３と、洗浄機本体を縦置き姿勢に支持可能な縦置ベース部４６と、縦置ベース部を載置させた状態において洗浄機本体の重心位置の上方に設けられた縦置取手部６３とを備えた。【選択図】図１
2011235254.tif 000002
【特許請求の範囲】
【請求項１】
洗浄機本体がパイプフレームで囲われ、前記パイプフレームで前記洗浄機本体を支える高圧洗浄機であって、
前記パイプフレームは、
前記洗浄機本体を横置き姿勢に支持可能な横置ベース部と、
前記横置ベース部を載置させた状態において、前記洗浄機本体の重心位置の上方で、かつ、前記横置ベース部に対向する側に設けられた横置取手部と、
前記洗浄機本体を縦置き姿勢に支持可能な縦置ベース部と、
前記縦置ベース部を載置させた状態において、前記洗浄機本体の重心位置の上方で、かつ、前記縦置ベース部に対向する側に設けられた縦置取手部と、
を備えたことを特徴とする高圧洗浄機。
【請求項２】
前記パイプフレームおよび前記洗浄機本体からなる洗浄機ユニットが前記横置取手部、前記縦置取手部を用いて内部に収納可能な収納ケースを備え、
前記収納ケースは、
運搬方向に傾斜させた姿勢で運搬可能に構成され、
前記洗浄機ユニットを内部に導くケース開口部と、
前記ケース開口部から前記洗浄機ユニットを内部に収納する際に前記パイプフレームを案内する収納ガイドと、
を有し、
前記運搬方向に傾斜させた姿勢において前記ケース開口部の開口縁部が略水平に形成され、
前記収納ケースに前記洗浄機ユニットを収納させた状態において前記縦置取手部が前記ケース開口部の近傍に配置されることを特徴とする請求項１記載の高圧洗浄機。
【請求項３】
前記収納ケースは、
前記収納ケースの壁部外面で、かつ、前記ケース開口部の近傍に前記収納ケースを静止状態に保持可能な取手が設けられたことを特徴とする請求項２記載の高圧洗浄機。
【請求項４】
前記収納ケースの前記ケース開口部を閉塞可能で、かつ、前記ケース開口部に対向する側に備品を収納可能な備品収納部が形成された蓋体部と、
前記蓋体部に設けられて、前記備品収納部を前記ケース開口部から仕切る仕切部材と、を備え、
前記仕切部材が前記縦置取手部で支持可能に設けられたことを特徴とする請求項２〜３のいずれか１項記載の高圧洗浄機。
【発明の詳細な説明】
【技術分野】
【０００１】
本発明は、エンジンでポンプ（水圧ポンプ）を駆動してポンプで吸い込んだ水を噴射させ、噴射した水で外壁などの汚れを洗い流す高圧洗浄機に関する。
【背景技術】
【０００２】
定置型作業機としてベースにエンジンやポンプが載置された高圧洗浄機が知られている。この高圧洗浄機は、ベースにエンジンやポンプが載置され、エンジンの上方に燃料タンクが設けられ、ポンプの吸水口に吸水ホースが着脱自在に連通され、ポンプの噴射口に噴射ホースが着脱自在に連通されている。
【０００３】
高圧洗浄機を運転する際には、地面や床面などの載置面に対してベースが略平行に配置された姿勢に保たれる。
また、高圧洗浄機を運搬や格納（保管）する際にも、高圧洗浄機を運転する場合と同様に、地面や床面などの載置面に対してベースが略平行に配置された姿勢に保たれる。
【０００４】
高圧洗浄機を運転することにより、燃料タンクからエンジンに燃料を供給し、エンジンでポンプを駆動する。ポンプを駆動することにより、ポンプで吸い込んだ水を噴射ホースのノズルから噴射させ、ノズルから噴射した水で外壁などの汚れを洗い流すことができる（例えば、特許文献１参照。）。
【先行技術文献】
【特許文献】
【０００５】
【特許文献１】特開２００６−１５９０２５号公報
【発明の概要】
【発明が解決しようとする課題】
【０００６】
ここで、特許文献１の高圧洗浄機は、運転、運搬または格納時にベースが地面や床面などの載置面に対して略平行に配置された姿勢に保たれる。
ところで、高圧洗浄機は、エンジンやポンプがベースに載置されているためベースが水平方向に比較的大きな寸法で形成されている。このため、高圧洗浄機の運転、運搬または格納時に、高圧洗浄機が水平方向に比較的大きな寸法の姿勢で配置される。
【０００７】
このように、高圧洗浄機が水平方向に比較的大きな寸法の姿勢で配置されるので、高圧洗浄機を運搬する際に、高圧洗浄機の運搬に手間がかかることが考えられる。
さらに、高圧洗浄機が水平方向に比較的大きな寸法の姿勢で配置されるので、高圧洗浄機を格納する際に、高圧洗浄機を格納する空間を広く確保する必要があり、高圧洗浄機の格納に手間がかかることが考えられる。
このように、高圧洗浄機の運搬や格納に手間がかかるため、使い勝手の観点から改良の余地が残されていた。
【０００８】
本発明は、使い勝手の向上を図ることができる高圧洗浄機を提供することを課題とする。
【課題を解決するための手段】
【０００９】
請求項１に係る発明は、洗浄機本体がパイプフレームで囲われ、前記パイプフレームで前記洗浄機本体を支える高圧洗浄機であって、前記パイプフレームは、前記洗浄機本体を横置き姿勢に支持可能な横置ベース部と、前記横置ベース部を載置させた状態において、前記洗浄機本体の重心位置の上方で、かつ、前記横置ベース部に対向する側に設けられた横置取手部と、前記洗浄機本体を縦置き姿勢に支持可能な縦置ベース部と、前記縦置ベース部を載置させた状態において、前記洗浄機本体の重心位置の上方で、かつ、前記縦置ベース部に対向する側に設けられた縦置取手部と、を備えたことを特徴とする。
【００１０】
請求項２に係る発明は、前記パイプフレームおよび前記洗浄機本体からなる洗浄機ユニットが前記横置取手部、前記縦置取手部を用いて内部に収納可能な収納ケースを備え、前記収納ケースは、運搬方向に傾斜させた姿勢で運搬可能に構成され、前記洗浄機ユニットを内部に導くケース開口部と、前記ケース開口部から前記洗浄機ユニットを内部に収納する際に前記パイプフレームを案内する収納ガイドと、を有し、前記運搬方向に傾斜させた姿勢において前記ケース開口部の開口縁部が略水平に形成され、前記収納ケースに前記洗浄機ユニットを収納させた状態において前記縦置取手部が前記ケース開口部の近傍に配置されることを特徴とする。
【００１１】
請求項３に係る発明は、前記収納ケースは、前記収納ケースの壁部外面で、かつ、前記ケース開口部の近傍に前記収納ケースを静止状態に保持可能な取手が設けられたことを特徴とする。
【００１２】
請求項４に係る発明は、前記収納ケースの前記ケース開口部を閉塞可能で、かつ、前記ケース開口部に対向する側に備品を収納可能な備品収納部が形成された蓋体部と、前記蓋体部に設けられて、前記備品収納部を前記ケース開口部から仕切る仕切部材と、を備え、前記仕切部材が前記縦置取手部で支持可能に設けられたことを特徴とする。
【発明の効果】
【００１３】
請求項１に係る発明では、パイプフレームに横置ベース部および縦置ベース部を備えた。そして、横置ベース部で洗浄機本体を横置き姿勢に支持可能とし、縦置ベース部で洗浄機本体を縦置き姿勢に支持可能とした。
よって、高圧洗浄機を運転、運搬または格納（保管）する際に、高圧洗浄機の姿勢を横置き姿勢および縦置き姿勢のうちから適宜選択することができる。
これにより、高圧洗浄機を運搬や格納に適した姿勢を選択することが可能になり使い勝手の向上を図ることができる。
【００１４】
請求項２に係る発明では、パイプフレームの横置取手部および縦置取手部を利用して洗浄機ユニットを収納ケースの内部に収納することができる。
これにより、洗浄機ユニットを収納ケースの内部に手間をかけないで容易に収納することができ、使い勝手の向上を図ることができる。
【００１５】
また、収納ケースの内部に収納ガイドを設け、収納ガイドでパイプフレームを案内可能とした。
よって、洗浄機ユニットを内部に収納する際に、パイプフレームを収納ガイドで案内して洗浄機ユニットを内部に円滑に収納することができる。
これにより、洗浄機ユニットを収納ケースの内部に手間をかけないで一層容易に収納することができ、使い勝手の向上を図ることができる。
【００１６】
さらに、収納ケースを運搬方向に傾斜させた姿勢において、ケース開口部の開口縁部を略水平に位置させることができる。
これにより、収納ケースを運搬方向に傾斜させて運搬する際に、内部に貯水した水がケース開口部から流出する（こぼれる）ことを防ぐことができ、使い勝手の向上を図ることができる。
【００１７】
また、ケース本体を運搬姿勢に傾斜させた状態でケース開口部の開口縁部を略水平に形成することにより、ケース本体を水平に倒したとき開口縁部を斜め上向きに配置できる。
よって、ケース本体内に洗浄機ユニットを収納する場合や、ケース本体内から高圧洗浄機を取り出す場合に、ケース開口部の上方から洗浄機ユニットを目視しやすくなる。
これにより、洗浄機ユニットの収納や取出しを容易に行うことができ、使い勝手の向上を図ることができる。
【００１８】
加えて、収納ケースに洗浄機ユニットを収納させた状態において、縦置取手部をケース開口部の近傍に配置可能とした。さらに、収納ケースを横置きに配置した状態において開口縁部を斜め上向きに配置できる。
よって、収納ケースに洗浄機ユニットを収納させた状態において、縦置取手部を手で握る際に、縦置取手部を握る動作をケース開口部で妨げる虞がない。これにより、縦置取手部を手で容易に握ることができる。
このように、縦置取手部を握りやすい位置に配置することにより、洗浄機ユニットを収納ケースに収納する作業や、洗浄機ユニットを収納ケースから取り出す作業を容易に行うことができ、使い勝手の向上を図ることができる。
【００１９】
請求項３に係る発明では、収納ケースの側壁外面で、かつ、ケース開口部の近傍に取手（引っかかり部）を設けた。そして、この取手に手をかけて収納ケースを静止状態に保持可能にした。
これにより、取手に手をかけて収納ケースを静止状態に保つことで、収納ケースに洗浄機ユニットを容易に収納することができ、使い勝手の向上を図ることができる。
【００２０】
請求項４に係る発明では、蓋体部に仕切部材を備え、この仕切部材で蓋体部の備品収納部をケース開口部から仕切るようにした。そして、この仕切部材を縦置取手部で支持するようにした。
このように、仕切部材を縦置取手部で支持することで備品収納部を安定的に蓋体部に収納することができ、使い勝手の向上を図ることができる。
【図面の簡単な説明】
【００２１】
【図１】本発明に係る高圧洗浄機を示す斜視図である。
【図２】図１の高圧洗浄機を示す分解斜視図である。
【図３】本発明に係る洗浄機ユニットを横置き姿勢に配置した状態を示す斜視図である。
【図４】図３の洗浄機ユニットを示す断面図である。
【図５】本発明に係る洗浄機ユニットを縦置き姿勢に配置した状態を示す斜視図である。
【図６】本発明に係るパイプフレームを示す斜視図である。
【図７】図２のケース本体を示す斜視図である。
【図８】図１の８−８線断面図である。
【図９】本発明に係るケース本体を横置きに配置した状態で洗浄機ユニットを収納した状態をケース開口部側から見た状態を示す正面図である。
【図１０】図１の１０矢視図である。
【図１１】図１０の１１−１１線断面図である。
【図１２】図２の蓋体部に備品を収納して仕切部材を設けた状態を示す斜視図である。
【図１３】本発明に係るケース本体に水を貯水した状態で運搬する例を説明する図である。
【図１４】ケース本体に貯水した水を用いて高圧洗浄機で汚れを洗い流す例を説明する図である。
【図１５】本発明に係る洗浄機ユニットを収納ケースに収納する例を説明する図である。
【図１６】本発明に係る洗浄機ユニットを収納ケースに収納した状態を示す図である。
【発明を実施するための形態】
【００２２】
本発明を実施するための最良の形態を添付図に基づいて以下に説明する。
【実施例】
【００２３】
図１〜図２に示すように、高圧洗浄機１０は、吸水した水を噴射して外壁などの汚れを洗い流す洗浄機ユニット１１と、洗浄機ユニット１１を収納可能な収納ケース１２とを備えている。
収納ケース１２は、洗浄機ユニット１１の格納や運搬に用いられ、さらに貯水タンクとして用いられる。
【００２４】
図３〜図５に示すように、洗浄機ユニット１１は、エンジン２３およびポンプ（水圧ポンプ）２５が一体に構成された洗浄機本体１４と、洗浄機本体１４を囲うパイプフレーム１５とを備えている。
【００２５】
洗浄機本体１４は、パイプフレーム１５に設けられたベース２１と、ベース２１に設けられた回転伝達手段２２と、回転伝達手段２２に設けられたエンジン２３およびポンプ２５を備えている。
【００２６】
ベース２１は、回転伝達手段２２のケース３１をパイプフレーム１５に設ける部材である。
回転伝達手段２２は、パイプフレーム１５に設けられたケース３１と、ケース３１内に設けられたドライブプーリ３２と、ドライブプーリ３２にベルト３３を介して連結されたドリブンプーリ３４とを備えている。
ドライブプーリ３２は、エンジン２３のクランクシャフト２４に同軸上に設けられている。
ドリブンプーリ３４は、ポンプ２５の入力軸２６に同軸上に設けられている。
【００２７】
エンジン２３は、ケース３１に設けられたエンジン本体３６と、ベース２１に設けられた燃料タンク３７とを備えたガソリンエンジンである。
このエンジン２３は、リコイルスタータ３９でクランクシャフト２４を回転するとともに、燃料タンク３７内から燃料を燃焼室に供給することで、エンジン本体３６が駆動する。
【００２８】
エンジン本体３６を駆動することでクランクシャフト２４が回転し、クランクシャフト２４が回転することでドライブプーリ３２が回転する。ドライブプーリ３２が回転することで、ドライブプーリ３２の回転がベルト３３を介してドリブンプーリ３４に伝えられる。
ドリブンプーリ３４に回転が伝えられることでドリブンプーリ３４が回転し、ドリブンプーリ３４が回転することでポンプ２５の入力軸２６が回転する。
【００２９】
ポンプ２５は、一例として、プランジャポンプ（ピストンポンプ）が用いられる。
このポンプ２５は、入力軸２６が回転することにより斜板が回転し、斜板の回転でピストン（プランジャ）を往復運動させて、液体（水）を吸水口２５ａから吸い込み、吸い込んだ水を吐出口２５ｂから吐出する水圧ポンプである。
【００３０】
図３、図６に示すように、パイプフレーム１５は、洗浄機本体１４を保護するように囲うとともに洗浄機本体１４を支えるフレームである。
このパイプフレーム１５は、洗浄機ユニット１１の下側に設けられた横置ベース部（横置き接地部）４２と、横置ベース部４２のエンジン２３側の端部に設けられた縦置ベース部（縦置き接地部）４６と、縦置ベース部４６の端部に設けられた横置フレーム部５１と、横置ベース部４２のポンプ２５側の端部に設けられた縦置フレーム部６１とを有する。
【００３１】
横置ベース部４２は、一対の横置ベースフレーム部４３と、一対の横置ベースフレーム部４３に設けられた複数の横置脚部４４とを有する。
一対の横置ベースフレーム部４３は、洗浄機ユニット１１の両側に所定間隔Ｌ１をおいて互いに平行に配置され、回転伝達手段２２のケース３１およびベース２１が一体に連結されている。
一対の横置ベースフレーム部４３には、エンジン本体３６側の各端部４３ａおよびポンプ２５側の各端部４３ｂに横置脚部（すなわち、複数（４個）の横置脚部）４４が設けられている。
複数の横置脚部４４が地面や床面などの載置面６５に載置された状態において（横置きベース部４２を載置（接地）させた状態において）、横置ベース部４２が載置面６５に平行に配置されて安定的に支えられる。
すなわち、横置ベース部４２は、洗浄機本体１４を横置き姿勢に支持可能な部位である。
【００３２】
縦置ベース部４６は、一対の横置ベースフレーム部４３のエンジン本体３６側の各端部４３ａに設けられた一対の縦置ベースフレーム部４７を有する。
一対の縦置ベースフレーム部４７は、一対の横置ベースフレーム部４３のうちエンジン本体３６側の各端部４３ａからリコイルスタータ３９側に延出されることで、横置ベース部４２に対して直交する方向に折り曲げられている。
一対の縦置ベースフレーム部４７は、一対の横置ベースフレーム部４３と同じ間隔Ｌ１に配置されている。
一対の縦置ベースフレーム部４７を間隔Ｌ１に配置することで、図５に示すように、一対の縦置ベースフレーム部４７が載置面６５に載置された状態において（縦置ベース部４６を載置（接地）させた状態において）、縦置ベース部４６が載置面６５に平行に配置されて安定的に支えられる。
すなわち、縦置ベース部４６は、洗浄機本体１４を縦置き姿勢に支持可能な部位である。
【００３３】
横置フレーム部５１は、一対の縦置ベースフレーム部４７の各端部４７ａに設けられた一対の横置連結部５２と、一対の横置連結部５２の各端部５２ａに架け渡された横置取手部５３とを有する。
【００３４】
一対の横置連結部５２は、側面視において、一対の縦置ベースフレーム部４７の各端部４７ａから一対の横置ベース部４２に対して平行に折り曲げられ、かつ、平面視において、各端部４７ａからリコイルスタータ３９側に徐々に近づくように（すなわち、一対の横置ベースフレーム部４３間の中心側に向けて）傾斜状に延出されている。
よって、一対の横置連結部５２は、平面視で略ハ字状に形成されている。
【００３５】
横置取手部５３は、一対の横置連結部５２の各端部５２ａに架け渡されることで、横置ベース部４２に対向する側に配置されるとともに、平面視において一対の横置ベースフレーム部４３に対して直交する方向に延びるように配設されている。
この横置取手部５３は、図３に示すように、複数の横置脚部４４が載置面６５に載置された状態において（横置ベース部４２を載置（接地）させた状態において）、横置取手部５３の長手方向において略中央部５３ａが洗浄機本体１４の重心位置６７の上方に位置し、かつ、横置ベース部４２に対向する側に設けられている。
よって、横置取手部５３（略中央部５３ａ）を手で握って洗浄機ユニット１１を持ち上げた状態において、洗浄機ユニット１１（洗浄機本体１４）を横置き姿勢に安定させた状態で支持可能である。
【００３６】
縦置フレーム部６１は、一対の横置ベースフレーム部４３のうちポンプ２５側の各端部４３ｂに設けられた一対の縦置連結部６２と、一対の縦置連結部６２の各端部６２ａに架け渡された縦置取手部６３とを有する。
【００３７】
一対の縦置連結部６２は、一対の横置ベースフレーム部４３のうちポンプ２５側の各端部４３ｂから横置ベース部４２に対して直交する方向にポンプ２５側に折り曲げられている。
一対の縦置連結部６２は、一対の横置ベースフレーム部４３と同じ間隔Ｌ１に配置されている。
【００３８】
縦置取手部６３は、一対の縦置連結部６２の各端部６２ａに架け渡されることで、横置ベース部４２に対向する側に配置されるとともに、平面視において一対の横置ベースフレーム部４３に対して直交する方向に延びるように配設されている。
この縦置取手部６３は、図５に示すように、一対の縦置ベースフレーム部４７が載置面６５に載置された状態において（縦置ベース部４６を載置（接地）させた状態において）、縦置取手部６３の長手方向において略中央部６３ａが洗浄機本体１４の重心位置６７の上方に位置し、かつ、縦置ベース部４６に対向する側に設けられている。
よって、縦置取手部６３（略中央部６３ａ）を手で握って洗浄機ユニット１１を持ち上げた状態において、洗浄機ユニット１１（洗浄機本体１４）を縦置き姿勢に安定させた状態で支持可能である。
【００３９】
このように、パイプフレーム１５に横置ベース部４２および縦置ベース部４６を備えることで、洗浄機ユニット１１（洗浄機本体１４）を横置ベース部４２で横置き姿勢に支持可能とし、縦置ベース部４６で縦置き姿勢に支持可能とした。
よって、高圧洗浄機１０を運転、運搬または格納（保管）する際に、高圧洗浄機１０の姿勢を横置き姿勢（図３参照）および縦置き姿勢（図５参照）のうちから適宜選択することができる。
これにより、高圧洗浄機１０を運搬や格納に適した姿勢を選択することが可能になり使い勝手の向上を図ることができる。
【００４０】
この洗浄機ユニット１１は運搬時や格納時に収納ケース１２（図２参照）に収納される。
図１、図２に示すように、収納ケース１２は、洗浄機ユニット１１を収納可能なケース本体７１と、ケース本体７１の底部（下端部）８４に設けられた運搬用車輪ユニット７２と、ケース本体７１の上部８５に設けられた運搬用ハンドルユニット７３と、ケース本体７１のケース開口部７８を閉塞可能な蓋体部７４と、蓋体部７４に設けられた仕切部材７５とを備える。
【００４１】
図７に示すように、ケース本体７１は、運搬側の壁部（以下、「前壁部」という）８１、前壁部８１の反対側の壁部（以下、「後壁部」という）８２、一対の側壁部８３および底部８４（図８参照）で略矩形体状に形成され、上端部８５ａにケース開口部７８を備えている。
上端部８５ａとは、ケース本体７１の上部８５のうち上端の部位をいう。
ケース開口部７８は、洗浄機ユニット１１（図２参照）をケース本体７１内に導く開口である。
【００４２】
さらに、ケース本体７１は、底部８４のうち後壁部８２側の両側部位に設けられた一対の縦置脚部８７と、前壁部８１のうち上端部の両側部位に設けられた一対の横置脚部８８と、前壁部８１の内面（運搬側の壁部内面）８１ａに設けられた一対の収納ガイド９１と、後壁部８２に設けられた取手（引っかかり部）９３とを備えている。
このケース本体７１は、洗浄機ユニット１１（図２参照）をケース開口部７８から内部空間（内部）９５に収納して運搬、保管可能で、かつ、洗浄作業用の水９７（図１３参照）を貯水可能なケースである。
【００４３】
図２に示すように、洗浄機ユニット１１をケース開口部７８からケース本体７１内（内部空間９５）に矢印の如く収納する際に、パイプフレーム１５の横置取手部５３や縦置取手部６３を利用して（用いて）ケース本体７１内に収納できる。
このように、横置取手部５３や縦置取手部６３を用いて洗浄機ユニット１１をケース本体７１内に収納できるので、ケース本体７１内に洗浄機ユニット１１を手間をかけないで容易に収納することができ、使い勝手の向上を図ることができる。
【００４４】
さらに、図１６（ａ）に示すように、収納ケース１２に洗浄機ユニット１１が収納された状態において、ケース開口部７８の近傍に縦置取手部６３が配置される。
よって、収納ケース１２に洗浄機ユニット１１を収納させた状態において、ケース開口部７８に手を入れて縦置取手部６３を握ることができる。
このように、縦置取手部６３を握ることにより、洗浄機ユニット１１を収納ケース１２に収納する作業や、洗浄機ユニット１１を収納ケース１２から取り出す作業を容易に行うことができ、使い勝手の向上を図ることができる。
【００４５】
図８に示すように、ケース開口部７８は、ケース本体７１の前壁部８１から後壁部８２に向けて開口縁部７８ａが傾斜角θ１の下り勾配で傾斜するように形成されている。
【００４６】
一対の縦置脚部８７は、各端部８７ａが運搬用車輪ユニット７２（一対の車輪９９）に対して面一に形成されている。
よって、一対の縦置脚部８７および一対の車輪９９でケース本体７１を縦置きに配置した状態に保持することができる。
【００４７】
一対の横置脚部８８は、各端部８８ａが一対の車輪９９に対して面一に形成されている。
よって、一対の横置脚部８８および一対の車輪９９でケース本体７１を横置きに配置した状態に保持することができる（図７参照）。
【００４８】
図７、図９に示すように、一対の収納ガイド９１は、前壁部８１の内面８１ａにおいて一対の側壁部８３近傍にそれぞれ設けられ、ケース開口部７８から底部８４に向けて一対の側壁部８３に沿って延出されている。
一対の収納ガイド９１は、一対の横置ベースフレーム部４３と同様に、所定間隔Ｌ１をおいて互いに平行に配置されている。
【００４９】
よって、ケース開口部７８から洗浄機ユニット１１をケース本体７１内に収納する際に、一対の収納ガイド９１に一対の横置ベースフレーム部４３を載せて、洗浄機ユニット１１をケース本体７１内に円滑に案内（収納）することができる。
これにより、洗浄機ユニット１１をケース本体７１内に手間をかけないで容易に収納することができ、使い勝手の向上を図ることができる。
【００５０】
ここで、一対の収納ガイド９１に一対の横置ベースフレーム部４３を載せた状態において、複数の横置脚部４４をケース本体７１の前壁部８１に対して間隔Ｓをおいて配置することができる。
すなわち、一対の収納ガイド９１に一対の横置ベースフレーム部４３を載せたとき、複数の横置脚部４４をケース本体７１の前壁部８１に接触しない状態（すなわち、前壁部８１に対して浮かせた状態）に保つことができる。
よって、洗浄機ユニット１１をケース本体７１内に手間をかけないで一層容易に収納することができる。
【００５１】
取手９３は、後壁部８２の外面（壁部外面）８２ａで、かつ、ケース開口部７８の近傍に設けられている。よって、ケース本体７１を横置きに配置した状態で取手９３が上方に載置される。
この状態で、取手９３に手をかけて収納ケース１２を抑えることにより収納ケース１２を静止状態に保つことができる。
このように、取手９３に手をかけて収納ケース１２を静止状態に保つことで、収納ケース１２に洗浄機ユニット１１を容易に収納することができ、使い勝手の向上を図ることができる。
【００５２】
図１０、図１１に示すように、運搬用車輪ユニット７２は、ケース本体７１の底部８４において、前壁部８１側で、かつ一対の側壁部８３側に設けられている。
運搬用車輪ユニット７２は、連結車軸１０１の両端部に車輪９９がそれぞれ連結され、連結車軸１０１の両端部近傍が一対の支持手段１０３で回転自在に支持されている。
【００５３】
支持手段１０３は、ケース本体７１の底部８４に設けられた支持突部１０４と、支持突部１０４の底部１０４ａに形成されて連結車軸１０１を収容する凹部１０５と、凹部１０５に収容された連結車軸１０１を支える支えブラケット１０６とを備えている。
支えブラケット１０６は、支持突部１０４に一対のボルト１０７で取り付けられている。
【００５４】
支持突部１０４は、ケース本体７１の底部８４において、前壁部８１側で、かつ一対の側壁部８３側にそれぞれ設けられている。
凹部１０５は、連結車軸１０１のうち、少なくとも上半部１０１ａを収容することで、連結車軸１０１を回転自在に収納（支持）することができる。
【００５５】
凹部１０５に連結車軸１０１を収容させて連結車軸１０１を支えることで、一対の車輪９９側やケース本体７１側から連結車軸１０１に作用する入力（荷重）を支持突部１０４全体で支えることができる。
このように、連結車軸１０１に作用する荷重を支持突部１０４全体で支えることで、支持手段１０３の強度・耐久性を容易に確保できる。
【００５６】
運搬用ハンドルユニット７３は、ケース本体７１の前壁部８１のうち上部８５に設けられたハンドル支持部１１１と、ハンドル支持部１１１に設けられた運搬用ハンドル（牽引用ハンドル）１１２とを備えている。
【００５７】
ハンドル支持部１１１は、前壁部８１の上部８５（すなわち、運搬用車輪ユニット７２の上方）に設けられた略矩形状の板状部材で、両側部に支え凹部１１４が設けられている。
一対の支え凹部１１４に、運搬用ハンドル１１２の一対のハンドル脚部１１６が前壁部８１に沿って上下方向に移動自在に支持されている。
【００５８】
ハンドル支持部１１１で一対のハンドル脚部１１６を移動自在に支持することで、ハンドル支持部１１１の高さ寸法Ｈ１を大きく確保することができる。
ハンドル支持部１１１の高さ寸法Ｈ１を大きくして、運搬中にハンドル支持部１１１に作用する荷重を広範囲に分散させることで、ハンドル支持部１１１の強度・耐久性を容易に確保できる。
【００５９】
運搬用ハンドル１１２は、一対の支え凹部１１４に移動自在に支持された一対のハンドル脚部１１６と、一対のハンドル脚部１１６の上端部１１６ａに架け渡されたグリップ１１７とを備えている。
この運搬用ハンドル１１２は、運搬用車輪ユニット７２の上方で、かつ、ケース本体７１の上部８５に設けられ、ケース本体７１を運搬可能（牽引可能）なハンドルである。
【００６０】
一対のハンドル脚部１１６は、下端部１１６ｂにストッパピン１１８が設けられている。
ストッパピン１１８に支え凹部１１４の下端部１１４ａが当接することによりハンドル脚部１１６が上方に抜け出すことを防止できる。
【００６１】
グリップ１１７は、一対のハンドル脚部１１６の上端部１１６ａに架け渡され、運搬用車輪ユニット７２の連結車軸１０１に対して略平行（すなわち、略水平）に配置されている。
このグリップ１１７は、一対のハンドル脚部１１６を一対の支え凹部１１４に沿って下方に押し下げることで収納位置Ｐ１に配置される。
【００６２】
グリップ１１７を手で握って上方に引き上げることで、一対のハンドル脚部１１６を一対の支え凹部１１４に沿って上方に引き出すことができる。
ストッパピン１１８に支え凹部１１４の下端部１１４ａが当接することで、運搬用ハンドル１１２のグリップ１１７を運搬位置Ｐ２（図８参照）に保持できる。
【００６３】
グリップ１１７を運搬位置Ｐ２に保持した状態で、グリップ１１７を手で握って運搬（牽引）することにより、収納ケース１２（ケース本体７１）を一対の車輪９９で運搬することができる。
このように、収納ケース１２を運搬する際に、ケース本体７１が運搬方向に傾斜された運搬姿勢に保たれる。
この運搬姿勢において、ケース本体７１の前壁部８１が運搬方向に向けて傾斜角θ２で傾斜される。
ここで、前壁部８１の傾斜角θ２は、開口縁部７８ａの傾斜角θ１と略同じ角度である。
よって、収納ケース１２を運搬姿勢に保持した状態において、開口縁部７８ａが略水平に配置される。
【００６４】
図１、図２および図１２に示すように、蓋体部７４は、ケース本体７１のケース開口部７８を閉塞可能に略矩形状に形成されている。
この蓋体部７４は、蓋前壁部１２２、蓋後壁部１２３および一対の蓋側壁部１２４で略矩形状の枠体に形成され、この枠体の頂部に天井部１２５が設けられ、一対の蓋側壁部１２４に係止バンド１２６が設けられている。
【００６５】
蓋体部７４がケース開口部７８に被せられた状態において、蓋前壁部１２２および前壁部８１が略面一（図１０参照）、蓋後壁部１２３および後壁部８２が面一、蓋側壁部１２４および側壁部８３が略面一に配置される。
この状態で、一対の係止バンド１２６のうち、一方の係止孔１２６ａを一方の係止爪１２７に係止するとともに、他方の係止孔１２６ａを他方の係止爪１２７に係止することで、蓋体部７４がケース開口部７８に被せられた状態に保持される。
一対の係止爪１２７は、一対の側壁部８３にそれぞれ形成されている。
【００６６】
蓋体部７４に蓋前壁部１２２、蓋後壁部１２３および一対の蓋側壁部１２４を設けることで、蓋体部７４のうちケース開口部７８に対向する側に備品収納部（凹部）１３１が形成される。
備品収納部１３１内に、備品１３２として吸水ホース１３３、高圧ホース１３４や洗浄ノズル１３５などを収納することができる。
備品収納部１３１内に備品１３２を収納した状態において、備品収納部１３１を覆うように仕切部材７５が設けられる。
【００６７】
仕切部材７５は、蓋体部７４に着脱自在に設けられて、備品収納部１３１をケース開口部７８から仕切る部材である。
仕切部材７５は、複数の紐部材が格子状に結んだ状態に連結されることにより、備品収納部１３１内の備品１３２を支えるように形成されている。
この仕切部材７５を蓋体部７４に設けることで、蓋体部７４をケース開口部７８に被せた状態において、備品収納部１３１を仕切部材７５でケース開口部７８から仕切るとともに備品収納部１３１を仕切部材７５で支えることができる（図８参照）。
【００６８】
ここで、図８に示すように、蓋体部７４がケース開口部７８に被せられた状態において、仕切部材７５が縦置取手部６３に当接して縦置取手部６３で支持される（支えられる）。
このように、仕切部材７５を縦置取手部６３で支持することで備品収納部１３１を安定的に蓋体部７４に収納することができ、使い勝手の向上を図ることができる。
【００６９】
つぎに、収納ケース１２を貯水ケースとして用いる例を図１３、図１４に基づいて説明する。
まず、収納ケース１２に洗浄作業用の水９７を貯水した状態で運搬する例を図１３に基づいて説明する。
図１３（ａ）に示すように、収納ケース１２はケース開口部７８の開口縁部７８ａがケース本体７１の前壁部８１に対して傾斜角θ１で傾斜するように形成されている。
収納ケース１２を貯水ケースとして用いる場合、一対の車輪９９および一対の縦置脚部８７を接地させて収納ケース１２を縦置きに配置する。
【００７０】
この状態において、ケース開口部７８の開口縁部７８ａが傾斜角θ１で傾斜しているので、開口縁部７８ａのうち後壁部８２の部位７８ｂが最も低い部位となる。
よって、貯水面９７ａが最も低い部位７８ｂの手前に到達するまでケース開口部７８からケース本体７１内に洗浄作業用の水９７を貯水する。
【００７１】
図１３（ｂ）に示すように、グリップ１１７を運搬位置Ｐ２に保持した状態で、グリップ１１７を右手１４１で握って運搬（牽引）することにより収納ケース１２を一対の車輪９９で運搬する。
この運搬姿勢において、ケース本体７１の前壁部８１が運搬方向に向けて傾斜角θ２で傾斜される。
ここで、前壁部８１の傾斜角θ２は、開口縁部７８ａの傾斜角θ１と略同じ角度である。
【００７２】
よって、収納ケース１２を運搬姿勢に保持した状態において、開口縁部７８ａを略水平に配置することができる。
これにより、ケース本体７１を運搬姿勢に傾斜させて運搬する際に、ケース本体７１内に貯水した水９７がケース開口部から流出する（こぼれる）ことを防ぐことができ、使い勝手の向上を図ることができる。
【００７３】
加えて、ハンドル支持部１１１で一対のハンドル脚部１１６を移動自在に支持することで、ハンドル支持部１１１の高さ寸法Ｈ１を大きく確保できる。
ハンドル支持部１１１の高さ寸法Ｈ１を大きくして、運搬中にハンドル支持部１１１に作用する貯水９７の荷重を広範囲に分散させることで、ハンドル支持部１１１の強度・耐久性を容易に確保できる。
【００７４】
つぎに、収納ケース１２に貯水した水９７を用いて高圧洗浄機１０で汚れを洗い流す例を図１４に基づいて説明する。
図１４に示すように、高圧洗浄機１０の複数の横置脚部４４を載置面６５に載置して高圧洗浄機１０を横置き姿勢に保持する。
ポンプ２５の吸水口２５ａに吸水ホース１３３の一端部１３３ａを着脱自在に連通する。この吸水ホース１３３の他端部１３３ｂをケース本体７１に蓄えられた水９７内に入れる（配置する）。
ポンプ２５の噴射口２５ｂに高圧ホース１３４の一端部１３４ａを着脱自在に連通する。この高圧ホース１３４の他端部１３４ｂに洗浄ノズル１３５を連結する。
【００７５】
この状態で、高圧洗浄機１０を運転することにより、燃料タンク３７からエンジン２３に燃料を供給してエンジン本体３６でポンプ２５を駆動する。
ポンプ２５を駆動することにより、ポンプ２５で吸い込んだ水９７を高圧ホース１３４の洗浄ノズル１３５から噴射させ、洗浄ノズル１３５から噴射した水９７で外壁などの汚れを洗い流す。
【００７６】
ついで、洗浄機ユニット１１を収納ケース１２に収納する例を図１５、図１６に基づいて説明する。
図１５（ａ）に示すように、一対の車輪９９および一対の横置脚部８８を接地させて収納ケース１２を横置きに配置する。
ケース本体７１の後壁部８２に設けられた取手９３が上方に位置する。この取手９３を左手１４２で掴んでケース本体７１を静止状態に保つ。
この状態において、パイプフレーム１５の横置取手部５３を右手１４１で握って洗浄機ユニット１１をわずかに持ち上げる。持ち上げた洗浄機ユニット１１をケース本体７１のケース開口部７８に向けて矢印Ａの如く移動する。
【００７７】
図１５（ｂ）に示すように、パイプフレーム１５の横置ベース部４２（具体的には、一対の横置ベースフレーム部４３）を一対の収納ガイド９１に載せる。
一対の横置ベースフレーム部４３を一対の収納ガイド９１に載せることで、複数の横置脚部４４をケース本体７１の前壁部８１に接触しない状態（すなわち、前壁部８１に対して浮かせた状態）に保つことができる。
【００７８】
縦置取手部６３を右手１４１で握って洗浄機ユニット１１をケース本体７１内（内部空間９５）に向けて押し込む。一対の収納ガイド９１は樹脂製の部材であり、摩擦係数を小さく抑えることができる。
よって、一対の収納ガイド９１に対して一対の横置ベースフレーム部４３を円滑に滑らせることができるので、洗浄機ユニット１１をケース本体７１内に向けて矢印Ａの如く円滑に押し込むことができる。
【００７９】
ここで、ケース本体７１の取手９３を左手１４２で掴むことで収納ケース１２を静止状態に保つことができる。
よって、洗浄機ユニット１１をケース本体７１内に向けて矢印Ａの如く一層円滑に押し込むことができる。
【００８０】
このように、洗浄機ユニット１１をケース開口部７８からケース本体７１内に収納する際に、パイプフレーム１５の横置取手部５３や縦置取手部６３を利用して（用いて）ケース本体７１内に収納することができる。
これにより、洗浄機ユニット１１をケース本体７１内に手間をかけないで容易に収納することができ、使い勝手の向上を図ることができる。
【００８１】
ここで、ケース開口部７８は、ケース本体７１の前壁部８１から後壁部８２に向けて開口縁部７８ａが傾斜角θ１の下り勾配で傾斜するように形成されている。
よって、ケース本体７１を横置きに配置した状態において開口縁部７８ａを斜め上向きに配置できる。
【００８２】
よって、ケース本体７１内に洗浄機ユニット１１を収納する場合や、ケース本体７１内から洗浄機ユニット１１を取り出す場合に、ケース開口部７８の上方から洗浄機ユニット１１を目視しやすくなる。
これにより、洗浄機ユニット１１の収納や取出しを容易に行うことができ、使い勝手の向上を図ることができる。
【００８３】
図１６（ａ）に示すように、ケース本体７１に洗浄機ユニット１１を収納した状態において、ケース開口部７８の近傍（実施例では、ケース開口部７８の外側）に縦置取手部６３が配置される。
ここで、ケース本体７１を横置きに配置した状態において開口縁部７８ａが斜め上向きに配置されている。
【００８４】
よって、ケース本体７１に洗浄機ユニット１１を収納させた状態において、縦置取手部６３を右手１４１で握る際に、縦置取手部６３を握る動作をケース開口部７８で妨げる虞がない。これにより、縦置取手部６３を右手１４１で容易に握ることができる。
このように、縦置取手部６３を握りやすい位置に配置することにより、洗浄機ユニット１１をケース本体７１に収納する作業や、洗浄機ユニット１１をケース本体７１から取り出す作業を容易に行うことができ、使い勝手の向上を図ることができる。
【００８５】
また、ケース本体７１に洗浄機ユニット１１を収納した状態において、一対の収納ガイド９１に一対の横置ベースフレーム部４３が接触した状態に保たれ、さらに、一対の縦置ベースフレーム部４７がケース本体７１の底部８４に接触し、加えて、横置フレーム部５１がケース本体７１の後壁部８２に接触する。
よって、ケース本体７１内において洗浄機ユニット１１が安定された状態に保持され、洗浄機ユニット１１がケース本体７１内で移動する（がたつく）ことを防ぐことができる。
【００８６】
図１６（ｂ）に示すように、ケース本体７１の一対の車輪９９および一対の縦置脚部８７を接地させてケース本体７１を縦置きに配置する。
ケース本体７１を縦置きに配置した状態で、ケース本体７１のケース開口部７８を蓋体部７４で覆う。
この状態において、収納ケース１２内に洗浄機ユニット１１を安定させた状態に保つことができるので、高圧洗浄機１０を縦置きに格納することができる。
【００８７】
これにより、高圧洗浄機１０を格納（保管）する際に、高圧洗浄機１０の姿勢を横置き姿勢（図１６（ａ）参照）および縦置き姿勢（図１６（ｂ）参照）のうちから適宜選択することができ、使い勝手の向上を図ることができる。
特に、高圧洗浄機１０を縦置き姿勢で格納（保管）することで、高圧洗浄機１０を格納（保管）する際の床面積を小さく抑えることができる。
【００８８】
加えて、高圧洗浄機１０を縦置き姿勢から運搬方向に傾斜角θ２だけ傾斜させた運搬姿勢で運搬することができる。
これにより、高圧洗浄機１０を運搬する際に、高圧洗浄機１０を横置き姿勢や運搬姿勢（縦置き姿勢に近い姿勢）のうちから適宜選択することができ、使い勝手の向上を図ることができる。
【００８９】
なお、本発明に係る高圧洗浄機１０は、前述した実施例に限定されるものではなく適宜変更、改良などが可能である。
例えば、前記実施例では、ケース本体７１に洗浄機ユニット１１を収納した状態においてケース開口部７８の外側近傍に縦置取手部６３を配置する例について説明したが、これに限らないで、ケース開口部７８の内側近傍に縦置取手部６３を配置することも可能である。
ケース開口部７８の内側近傍に縦置取手部６３を配置した場合でも、縦置取手部６３を握る動作をケース開口部７８で妨げる虞がなく、縦置取手部６３を右手１４１で容易に握ることができる。
【００９０】
また、前記実施例で示した高速洗浄機１０、洗浄機ユニット１１、収納ケース１２、洗浄機本体１４、パイプフレーム１５、横置きベース部４２、縦置きベース部４６、横置取手部５３、縦置取手部６３、蓋体部７４、仕切部材７５、ケース開口部７８、開口縁部７８ａ、後壁部の外面８２ａ、収納ガイド９１、取手９３、備品収納部１３１および備品１３２などの形状や構成は例示したものに限定するものではなく適宜変更が可能である。
【産業上の利用可能性】
【００９１】
本発明は、エンジンでポンプを駆動してポンプで吸い込んだ水を噴射させ、噴射した水で外壁などの汚れを洗い流す高圧洗浄機への適用に好適である。
【符号の説明】
【００９２】
１０…高速洗浄機、１１…洗浄機ユニット、１２…収納ケース、１４…洗浄機本体、１５…パイプフレーム、４２…横置きベース部、４６…縦置きベース部、５３…横置取手部、６３…縦置取手部、６７…重心位置、７１…ケース本体、７４…蓋体部、７５…仕切部材、７８…ケース開口部、７８ａ…開口縁部、８２ａ…後壁部の外面（壁部外面）、９１…収納ガイド、９３…取手、１３１…備品収納部、１３２…備品。
【図１】
2011235254.tif 000003
【図２】
2011235254.tif 000004
【図３】
2011235254.tif 000005
【図４】
2011235254.tif 000006
【図５】
2011235254.tif 000007
【図６】
2011235254.tif 000008
【図７】
2011235254.tif 000009
【図８】
2011235254.tif 000010
【図９】
2011235254.tif 000011
【図１０】
2011235254.tif 000012
【図１１】
2011235254.tif 000013
【図１２】
2011235254.tif 000014
【図１３】
2011235254.tif 000015
【図１４】
2011235254.tif 000016
【図１５】
2011235254.tif 000017
【図１６】
2011235254.tif 000018